(57)【要約】【課題】棒状吸水体内部の水と高電圧印加部とを確実に接触させつつ棒状吸水体の十分な保持力が得られると共に、棒状吸水体の先端と対向電極との放電距離の精度を良くし、且つ安全性を確保すること。【解決手段】棒状吸水体４と高電圧印加部２とは硬さの異なる材料からなる。高電圧印加部２を対向電極３側が下になるようにセットし、棒状吸水体４の先端の尖っている側４ａを仮挿入部７の孔に挿入して仮保持用突起部１０にて棒状吸水体４を直立状態で仮保持する。この状態で棒状吸水体４の尖っている側４ａとは反対側の端面を押すことにより、棒状吸水体４と保持部６との圧接部分において硬い方が柔らかい方を削りながら、棒状吸水体４の先端の尖っている側４ａを保持部６から一定の長さＨだけ押し出す。【選択図】        図１
2005021776.tif 000002
【特許請求の範囲】
【請求項１】
水溜め部からの水を搬送する棒状吸水体と、棒状吸水体を垂直に保持し且つ棒状吸水体内部の水に高電圧を印加する高電圧印加部と、棒状吸水体の先端と対向する対向電極とを備え、上記棒状吸水体の先端と対向電極との間の放電により棒状吸水体の水を静電霧化させる静電霧化装置の製造方法であって、上記棒状吸水体と高電圧印加部とは硬さの異なる材料からなり、高電圧印加部には、対向電極側に向かって棒状吸水体の外径よりも小さい孔を有する筒状の保持部が突出していると共に、水溜め部側に向かって棒状吸水体の外径よりも大きい孔を有し且つこの孔が保持部の孔と連通している筒状の仮挿入部が突出しており、仮挿入部の孔の内面には棒状吸水体の外周面に当接可能な複数の仮保持用突起部が突設されており、上記高電圧印加部を対向電極側が下になるようにセットし、棒状吸水体の先端の尖っている側を仮挿入部の孔に挿入して仮保持用突起部にて棒状吸水体を直立状態で仮保持し、この状態で棒状吸水体の尖っている側とは反対側の端面を押すことにより、棒状吸水体と保持部との圧接部分において硬い方が柔らかい方を削りながら、棒状吸水体の先端の尖っている側を保持部から一定の長さだけ押し出すことを特徴とする静電霧化装置の製造方法。
【請求項２】
水溜め部より水を搬送する棒状吸水体と、棒状吸水体を垂直に保持し且つ棒状吸水体内部の水に高電圧を印加する高電圧印加部と、棒状吸水体の先端と対向する対向電極とを備え、上記棒状吸水体の先端と対向電極との間の放電により棒状吸水体の水を静電霧化させる静電霧化装置の製造方法であって、上記棒状吸水体と高電圧印加部とは硬さの異なる材料からなり、高電圧印加部には対向電極側に向かって棒状吸水体の外径と同じか或いはそれよりも大きい孔を有する筒状の保持部が突出していると共に、水溜め部側に向かって棒状吸水体の外径よりも大きい孔を有し且つこの孔が保持部の孔と連通している筒状の仮挿入部が突出しており、上記保持部の孔の内面には棒状吸水体の外周面に圧接される圧接用突起部が突設されていると共に保持部の対向電極側の先端内面には棒状吸水体の外径より小径の水漏れ防止用の環状突起が突設されており、上記仮挿入部の孔の内面には棒状吸水体の外周面に当接可能な複数の仮保持用突起部が突設されており、上記高電圧印加部を対向電極側が下になるようにセットし、棒状吸水体の先端の尖っている側を仮挿入部の孔に挿入して仮保持用突起部にて棒状吸水体を直立状態で仮保持し、この状態で棒状吸水体の尖っている側とは反対側の端面を押すことにより、棒状吸水体と圧接用突起部との圧接部分において硬い方が柔らかい方を削りながら、棒状吸水体の先端の尖っている側を保持部から一定の長さだけ押し出すことを特徴とする静電霧化装置の製造方法。
【請求項３】
水溜め部より水を搬送する棒状吸水体と、棒状吸水体を垂直に保持し且つ棒状吸水体内部の水に高電圧を印加する高電圧印加部と、棒状吸水体の先端と対向する対向電極とを備え、上記棒状吸水体の先端と対向電極との間の放電により棒状吸水体の水を静電霧化させる静電霧化装置の製造方法であって、上記棒状吸水体と高電圧印加部とは硬さの異なる材料からなり、高電圧印加部には対向電極側に向かって棒状吸水体の外径より小さい孔を有する筒状の保持部が突出しており、上記高電圧印加部を対向電極側が下になるようにセットし、その上に棒状吸水体の外径より大きな孔を有する仮挿入用治具を保持部の孔に合わせて載置し、棒状吸水体の先端の尖っている側を仮挿入用治具の孔に直立状態で仮保持し、この状態で棒状吸水体を尖っている側と反対側の端面を押すことにより、棒状吸水体と保持部との圧接部分において硬い方が柔らかい方を削りながら、棒状吸水体の先端の尖っている側を保持部から一定の長さだけ押し出し、その後、仮挿入用治具を取り外すことを特徴とする静電霧化装置の製造方法。
【請求項４】
水溜め部より水を搬送する棒状吸水体と、棒状吸水体を垂直に保持し且つ棒状吸水体内部の水に高電圧を印加する高電圧印加部と、棒状吸水体の先端と対向する対向電極とを備え、上記棒状吸水体の先端と対向電極との間の放電により棒状吸水体の水を静電霧化させる静電霧化装置の製造方法であって、上記棒状吸水体と高電圧印加部とは硬さの異なる材料からなり、高電圧印加部には対向電極側に向かって棒状吸水体の外径と同じか或いはそれよりも大きい孔を有する筒状の保持部が突出しており、この保持部の孔の内面には棒状吸水体の外周面の一部に圧接される圧接用突起部が突設されていると共に保持部の対向電極側の先端内面には棒状吸水体の外径より小径の水漏れ防止用の環状突起が突設されており、上記高電圧印加部を対向電極側が下になるようにセットし、その上に棒状吸水体の外径より大きな孔を有する仮挿入用治具を保持部の孔に合わせて載置し、棒状吸水体の先端の尖っている側を仮挿入用治具の孔に直立状態で仮保持し、この状態で棒状吸水体を尖っている側と反対側の端面を押すことにより、棒状吸水体と圧接用突起部との圧接部分において硬い方が柔らかい方を削りながら、棒状吸水体の先端の尖っている側を保持部から一定の長さだけ押し出し、その後、仮挿入用治具を取り外すことを特徴とする静電霧化装置の製造方法。
【請求項５】
水溜め部より水を搬送する棒状吸水体と、棒状吸水体を垂直に保持し且つ棒状吸水体内部の水に高電圧を印加する高電圧印加部と、棒状吸水体の先端と対向する対向電極とを備え、上記棒状吸水体の先端と対向電極との間の放電により棒状吸水体の水を静電霧化させる静電霧化装置の製造方法であって、剛性の高電圧印加部に棒状吸水体の外径より大きい開口部を設け、該開口部に棒状吸水体の外径より小さい孔を有する筒状の導電性ゴムを装着すると共に、高電圧印加部を対向電極側が下になるようにセットし、棒状吸水体の先端の尖っている側を導電性ゴムの孔に直立状態で仮保持し、この状態で棒状吸水体を尖っている側と反対側の端面を押すことにより、導電性ゴムの締め付け力により棒状吸水体が直立状態となるように傾きを矯正しながら、棒状吸水体の先端の尖っている側を導電性ゴムから一定の長さだけ押し出すことを特徴とする静電霧化装置の製造方法。
【発明の詳細な説明】
【０００１】
【発明の属する技術分野】
本発明は、水に高電圧を印加して静電霧化させるための静電霧化装置の製造方法に関し、詳しくは水を搬送する棒状吸水体を高電圧印加部に対して垂直に保持する技術に関するものである。
【０００２】
【従来の技術】
従来より、毛細管からなる棒状吸水体の下端をカートリッジ内の水に浸漬した状態で、棒状吸水体の上端をカートリッジ外部の対向電極に対向させ、棒状吸水体の毛細管現象によって重力の作用に抗して水を垂直上向きに輸送すると共に、棒状吸水体内部の水に高電圧印加部から高電圧を印加して、棒状吸水体の先端と対向電極との間の放電により棒状吸水体の水を静電霧化させる静電霧化装置が知られている（例えば、特許文献１参照）。
【０００３】
【特許文献１】
特許第３２６０１５０号公報
【０００４】
【発明が解決しようとする課題】
ところが、従来の静電霧化装置にあっては、毛細管からなる棒状吸水体の下端部をカートリッジの底に設けたくぼみの中に収容し、棒状吸水体の上端をカートリッジの上部に設けたカラーから上方に突出させた構造となっている。このため、従来の静電霧化装置が傾いたり倒れたりすると、棒状吸水体とカラーとの隙間からカートリッジ内部の水が漏出したり、また棒状吸水体の先端と対向電極との間に漏れた水分が介在してそこに集中放電が発生するおそれがある。さらに、静電霧化装置に落下等による衝撃が加わったときは、カートリッジからの棒状吸水体の突出部分の長さが変化してしまい、結果、棒状吸水体の先端と対向電極との放電距離の精度にばらつきが生じるという問題もあった。
【０００５】
本発明は、上記の従来例の問題点に鑑みて発明したものであって、その目的とするところは、棒状吸水体内部の水と高電圧印加部とを確実に接触させつつ棒状吸水体の十分な保持力が得られ、これにより、静電霧化装置に外部から衝撃が加わったときでも、棒状吸水体の突出長さが変化するのを防止でき、棒状吸水体の先端と対向電極との放電距離の精度を良好にでき、そのうえ、静電霧化装置が傾いたり倒れたりしても、棒状吸水体と高電圧印加部との隙間から水溜め部の水が漏出したり、或いは棒状吸水体の先端と対向電極との間に漏れた水分が介在してそこに集中放電が発生するおそれもなく、安全性を確保できる静電霧化装置の製造方法を提供することにある。
【０００６】
【課題を解決するための手段】
上記課題を解決するために請求項１記載の発明は、水溜め部５からの水を搬送する棒状吸水体４と、棒状吸水体４を垂直に保持し且つ棒状吸水体４内部の水に高電圧を印加する高電圧印加部２と、棒状吸水体４の先端と対向する対向電極３とを備え、上記棒状吸水体４の先端と対向電極３との間の放電により棒状吸水体４の水を静電霧化させる静電霧化装置の製造方法であって、上記棒状吸水体４と高電圧印加部２とは硬さの異なる材料からなり、高電圧印加部２には対向電極３側に向かって棒状吸水体４の外径Ａよりも小さい孔６ａを有する筒状の保持部６が突出していると共に、水溜め部５側に向かって棒状吸水体４の外径Ａよりも大きい孔７ａを有し且つこの孔７ａが保持部６の孔６ａと連通している筒状の仮挿入部７が突出しており、仮挿入部７の孔７ａの内面には棒状吸水体４の外周面に当接可能な複数の仮保持用突起部１０が突設されており、上記高電圧印加部２を対向電極３側が下になるようにセットし、棒状吸水体４の先端の尖っている側４ａを仮挿入部７の孔７ａに挿入して仮保持用突起部１０にて棒状吸水体４を直立状態で仮保持し、この状態で棒状吸水体４の尖っている側４ａとは反対側の端面４ｂを押すことにより、棒状吸水体４と保持部６との圧接部分において硬い方が柔らかい方を削りながら、棒状吸水体４の先端の尖っている側４ａを保持部６から一定の長さＨだけ押し出すことを特徴としている。
【０００７】
このような構成とすることで、棒状吸水体４を保持部６に圧入する際に棒状吸水体４と保持部６との圧接部分において硬い方が軟らかい方を削りながら押し出されるので、棒状吸水体４の十分な保持力を得ることができる。従って、棒状吸水体４と高電圧印加部２とを確実に接触させることができ、棒状吸水体４内部の水に高電圧が必ず印加されることとなり、しかも保持部６の内周面が棒状吸水体４の外周面全周に密着するので仮りに静電霧化装置１が傾いたり倒れたりしても、棒状吸水体４は高電圧印加部２の保持部６と密着しているため、水溜め部５の水が棒状吸水体４と保持部６との隙間から漏出することがなく、そのうえ棒状吸水体４の先端と対向電極３との間に漏れた水分が介在してそこに集中放電が発生することもなく、安全性を十分に確保できると共に、静電霧化装置１を何度も落下させたりして衝撃を加えたりした場合でも、保持部６からの棒状吸水体４の突出部分の長さが変化せず、棒状吸水体４の先端と対向電極３との放電距離精度を良好に保つことができる。また、棒状吸水体４を圧入する際に、仮挿入部７に設けた仮保持用突起部１０が棒状吸水体４を直立状態で仮保持するので、圧入の際に棒状吸水体４が傾いてしまうことがないため、棒状吸水体４の圧入操作がきわめて容易であり、そのうえ、棒状吸水体４を保持部６から一定の長さＨだけ押し出せば、棒状吸水体４の長さ寸法が一定であれば棒状吸水体４の突出部分の長さ寸法も一定となり、棒状吸水体４の先端と対向電極３との放電距離の精度を容易に高めることができ、静電霧化装置１の製造性を大幅に向上させることができる。
【０００８】
また請求項２記載の発明は、水溜め部５より水を搬送する棒状吸水体４と、棒状吸水体４を垂直に保持し且つ棒状吸水体４内部の水に高電圧を印加する高電圧印加部２と、棒状吸水体４の先端と対向する対向電極３とを備え、上記棒状吸水体４の先端と対向電極３との間の放電により棒状吸水体４の水を静電霧化させる静電霧化装置の製造方法であって、上記棒状吸水体４と高電圧印加部２とは硬さの異なる材料からなり、高電圧印加部２には対向電極３側に向かって棒状吸水体４の外径Ａと同じか或いはそれよりも大きい孔６ａを有する筒状の保持部６が突出していると共に、水溜め部５側に向かって棒状吸水体４の外径Ａよりも大きい孔７ａを有し且つこの孔７ａが保持部６の孔６ａと連通している筒状の仮挿入部７が突出しており、上記保持部６の孔６ａの内面には棒状吸水体４の外周面に圧接される圧接用突起部１１が突設されていると共に保持部６の対向電極３側の先端内面には棒状吸水体４の外径Ａより小径の水漏れ防止用の環状突起１２が突設されており、上記仮挿入部７の孔７ａの内面には棒状吸水体４の外周面に当接可能な複数の仮保持用突起部１０が突設されており、上記高電圧印加部２を対向電極３側が下になるようにセットし、棒状吸水体４の先端の尖っている側４ａを仮挿入部７の孔７ａに挿入して仮保持用突起部１０にて棒状吸水体４を直立状態で仮保持し、この状態で棒状吸水体４の尖っている側４ａとは反対側の端面４ｂを押すことにより、棒状吸水体４と圧接用突起部１１との圧接部分において硬い方が柔らかい方を削りながら、棒状吸水体４の先端の尖っている側４ａを保持部６から一定の長さＨだけ押し出すことを特徴としている。
【０００９】
このような構成とすることで、保持部６の孔６ａが棒状吸水体４の外径Ａと同じか或いはそれよりも大きく形成されるので、棒状吸水体４を保持部６に圧入する際の抵抗を軽減できると同時に、保持部６の内面に設けた圧接用突起部１１の存在によって棒状吸水体４の十分な保持力が得られるようになり、請求項１と同様な作用効果が得られる。さらに保持部６と棒状吸水体４との隙間が環状突起１２にて密閉されるため、保持部６の孔６ａと棒状吸水体４との間に隙間が生じた場合でも、棒状吸水体４と保持部６との間から水が漏出することがなく、安全性等を確保できるものである。
【００１０】
また請求項３の発明は、水溜め部５より水を搬送する棒状吸水体４と、棒状吸水体４を垂直に保持し且つ棒状吸水体４内部の水に高電圧を印加する高電圧印加部２と、棒状吸水体４の先端と対向する対向電極３とを備え、上記棒状吸水体４の先端と対向電極３との間の放電により棒状吸水体４の水を静電霧化させる静電霧化装置の製造方法であって、上記棒状吸水体４と高電圧印加部２とは硬さの異なる材料からなり、高電圧印加部２には対向電極３側に向かって棒状吸水体４の外径Ａより小さい孔６ａを有する筒状の保持部６が突出しており、上記高電圧印加部２を対向電極３側が下になるようにセットし、その上に棒状吸水体４の外径Ａより大きな孔８ａを有する仮挿入用治具８を保持部６の孔６ａに合わせて載置し、棒状吸水体４の先端の尖っている側４ａを仮挿入用治具８の孔８ａに直立状態で仮保持し、この状態で棒状吸水体４を尖っている側４ａと反対側の端面４ｂを押すことにより、棒状吸水体４と保持部６との圧接部分において硬い方が柔らかい方を削りながら、棒状吸水体４の先端の尖っている側４ａを保持部６から一定の長さＨだけ押し出し、その後、仮挿入用治具８を取り外すことを特徴としている。
【００１１】
このような構成とすることで、棒状吸水体４を保持部６に圧入する際に棒状吸水体４と保持部６との圧接部分において硬い方が軟らかい方を削りながら押し出されるので、棒状吸水体４の十分な保持力が得られるようになり、請求項１と同様な作用効果が得られるようになり、さらに棒状吸水体４の外径Ａより大きな孔８ａを有する仮挿入用治具８を用いて棒状吸水体４の先端の尖っている側４ａを直立状態で仮保持することで、圧入の際に棒状吸水体４が傾いてしまうことがないため、棒状吸水体４の圧入操作がきわめて容易となり、製造性を大幅に向上させることができると共に、高電圧印加部２には水溜め部５側に向かって請求項１、２記載の仮挿入部７を突出させる必要がないため、高電圧印加部２の形状を簡素化できるものである。
【００１２】
また請求項４の発明は、水溜め部５より水を搬送する棒状吸水体４と、棒状吸水体４を垂直に保持し且つ棒状吸水体４内部の水に高電圧を印加する高電圧印加部２と、棒状吸水体４の先端と対向する対向電極３とを備え、上記棒状吸水体４の先端と対向電極３との間の放電により棒状吸水体４の水を静電霧化させる静電霧化装置の製造方法であって、上記棒状吸水体４と高電圧印加部２とは硬さの異なる材料からなり、高電圧印加部２には対向電極３側に向かって棒状吸水体４の外径Ａと同じか或いはそれよりも大きい孔６ａを有する筒状の保持部６が突出しており、この保持部６の孔６ａの内面には棒状吸水体４の外周面の一部に圧接される圧接用突起部１１が突設されていると共に保持部６の対向電極３側の先端内面には棒状吸水体４の外径Ａより小径の水漏れ防止用の環状突起１２が突設されており、上記高電圧印加部２を対向電極３側が下になるようにセットし、その上に棒状吸水体４の外径Ａより大きな孔８ａを有する仮挿入用治具８を保持部６の孔６ａに合わせて載置し、棒状吸水体４の先端の尖っている側４ａを仮挿入用治具８の孔８ａに直立状態で仮保持し、この状態で棒状吸水体４を尖っている側４ａと反対側の端面４ｂを押すことにより、棒状吸水体４と圧接用突起部１１との圧接部分において硬い方が柔らかい方を削りながら、棒状吸水体４の先端の尖っている側４ａを保持部６から一定の長さＨだけ押し出し、その後、仮挿入用治具８を取り外すことを特徴としている。
【００１３】
このような構成とすることで、保持部６の孔６ａが棒状吸水体４の外径Ａと同じか或いはそれよりも大きく形成されるので、棒状吸水体４を保持部６に圧入する際の抵抗を軽減できると同時に、保持部６の内面に設けた圧接用突起部１１によって棒状吸水体４の十分な保持力が得られ、さらに保持部６と棒状吸水体４との隙間が環状突起１２にて密閉されるため、保持部６の孔６ａと棒状吸水体４との間に隙間が生じた場合でも、棒状吸水体４と保持部６との間から水が漏出することがなくなる。さらに仮挿入用治具８を用いて棒状吸水体４を直立状態で仮保持できるので圧入の際に棒状吸水体４が傾いてしまうことがなく、前記請求項３と同様な同様な作用効果が得られる。
【００１４】
また請求項５の発明は、水溜め部５より水を搬送する棒状吸水体４と、棒状吸水体４を垂直に保持し且つ棒状吸水体４内部の水に高電圧を印加する高電圧印加部２と、棒状吸水体４の先端と対向する対向電極３とを備え、上記棒状吸水体４の先端と対向電極３との間の放電により棒状吸水体４の水を静電霧化させる静電霧化装置の製造方法であって、剛性の高電圧印加部２に棒状吸水体の外径より大きい開口部を設け、該開口部に棒状吸水体４の外径Ａより小さい孔９ａを有する筒状の導電性ゴム９を装着すると共に、高電圧印加部２を対向電極３側が下になるようにセットし、棒状吸水体４の先端の尖っている側４ａを導電性ゴム９の孔９ａに直立状態で仮保持し、この状態で棒状吸水体４を尖っている側４ａと反対側の端面４ｂを押すことにより、導電性ゴム９の締め付け力により棒状吸水体４が直立状態となるように傾きを矯正しながら、棒状吸水体４の先端の尖っている側４ａを導電性ゴム９から一定の長さＨだけ押し出すことを特徴としている。
【００１５】
このような構成とすることで、導電性ゴム９の締め付け力によって棒状吸水体４が確実に垂直に保持され、棒状吸水体４の十分な保持力を得ることができ、また導電性ゴム９の孔９ａに棒状吸水体４を圧入する際に棒状吸水体４が多少傾いていても導電性ゴム９の締め付け力によって垂直に挿入されるようになる。従って、棒状吸水体４内部の水と高電圧印加部２とが導電性ゴム９を介して確実に接触して、高電圧印加部２の高電圧が必ず棒状吸水体４内の水に印加されることになる。また仮りに静電霧化装置１が傾いたり倒れたりしても、導電性ゴム９の締め付け力によって保持部６と棒状吸水体４の隙間が確実に密閉されているため、そこから水が漏出することはなく、請求項１と同様な作用効果が得られる。そのうえ、高電圧印加部２には前記仮挿入部７や保持部６を突出させる必要がないため、高電圧印加部２の成形を一層容易にすることができる。
【００１６】
【発明の実施の形態】
以下、本発明を添付図面に示す実施形態に基づいて説明する。
【００１７】
本実施形態の静電霧化装置１は、図１に示すように、筒状で周面に通風孔５２が開口している取手５１付きのホルダー５０と、ホルダー５０の上部に配された対向電極３と、ホルダー５０の下部に嵌め込まれて水に対する電圧印加を担う高電圧印加部２と、この高電圧印加部２によって保持されている複数本の先端の尖った棒状吸水体４と、同じく高電圧印加部２によって保持されているイオン化針１３と、棒状吸水体４に水を供給する水溜め部５とで構成されている。
【００１８】
ここで上記棒状吸水体４は、先端が尖った円柱形状の多孔質セラミックからなり、その先端の尖っている側４ａに噴霧出口が開口しており、この噴霧出口を垂直上向きとなるように棒状吸水体４を直立させた状態で棒状吸水体４の下端が水溜め部５に浸漬され、毛細管現象によって棒状吸水体４の下端から上端に水が引き上げられるようになっている。なお、棒状吸水体４は多孔質セラミック以外に、繊維質の材質で構成されてもよい。また、棒状吸水体４の先端は放電現象が起こりやすいように、つまり電界強度の集中が起こりやすいように、例えば、φ０．２５以下の鋭角形状に形成されている。また本例では、図２に示す６本の棒状吸水体４が高電圧印加部２に対して垂直状態で保持されている。これら棒状吸水体４は高電圧印加部２の中央に配されたイオン化針１３を中心とする同心円上に等間隔で配置されていて、各棒状吸水体４の上部が高電圧印加部２よりも上方に突出し、下部は下方に突出して水溜め部５の底部に接触している。
【００１９】
水溜め部５には静電噴霧に適した液体が貯蔵されている。例えば液体として水、水道水、地下水、電解水、ＰＨ調整水、ミネラルウォーター、ビタミンＣやアミノ酸などの有用成分の入った水、アロマオイルや芳香剤や消臭剤などが入った水などがあげられる。この水溜め部５に溜められた水が棒状吸水体４の毛細管現象によって下端から上端に引き上げられて、高電圧印加部２から高電圧が印加され、このとき棒状吸水体４の尖った先端で電界集中され、棒状吸水体４の先端からグランドとなる対向電極３の間で放電が発生することで棒状吸水体４内部の水が静電霧化されるようになっている。
【００２０】
上記高電圧印加部２及び対向電極３は例えば導電性樹脂で成形されている。ここでは高電圧印加部２をＰＰ（ポリプロピレン）にカーボン粉末を含有させた材料で成形し、棒状吸水体４を構成する多孔質セラミックよりも高電圧印加部２の方を硬くしてあり、後述のように棒状吸水体４を構成する多孔質セラミックが高電圧印加部２を構成する導電性樹脂を削りながら、高電圧印加部２に設けた保持部６の孔６ａに圧入されるようになっている。また上記高電圧印加部２は高電圧発生ユニットの数ｋＶ〜数十ｋＶが印加される高電圧側に接続され、対向電極３はＧＮＤ側に接地されている。さらに、高電圧印加部２は、棒状吸水体４内部の水に高電圧を印加する機能に加えて、棒状吸水体４を垂直に直立した状態で機械的に保持固定する機能を有している。
【００２１】
また上記対向電極３は、図２に示すように中央に開口部２０を有すると共に、この開口部２０の縁は上方から見た時、複数本の棒状吸水体４の上端を中心とする複数の同一径の円弧Ｒを他の円弧ｒで滑らかにつないだものとなっている。この対向電極３を接地し、高電圧印加部２に高電圧発生源を接続すると共に、棒状吸水体４が毛細管現象で水を吸い上げている時、棒状吸水体４の先端が高電圧印加部２側の実質的な電極として機能すると同時に、対向電極３の円弧Ｒが実質的な電極として機能するものである。
【００２２】
上記高電圧印加部２から下方に向かって円筒状のスカート１４（図１）が突出している。このスカート１４は上記複数本の棒状吸水体４の外側を囲んでいると共に、スカート１４の周方向の一部には、スカート１４の上下方向全長にわたるスリット６０が設けられ、水を入れた水溜め部５の装着時にスカート１４で囲まれた空間内の空気をスリット６０から抜いて、スカート１４内への水の流入を許すようにしている。なお図１中の１５は下保護カバー、１６は上保護カバー、２１は棒状吸水体４の外面に滲出した水を溜める凹所であり、この凹所２１によって水が高電圧印加部２の上面に広がってこぼれ落ちるのを防止でき、また広がった水と対向電極３との間で集中放電して静電霧化が生じなくなるのを防止できるようにしている。図２中の４０はＧＮＤ接点である。
【００２３】
今、高電圧印加部２にマイナスの電圧を印加する場合において、水溜め部５の水が棒状吸水体４の毛細管現象で吸い上げられ、この水にレイリー分裂を起こさせることができる高電圧であれば、棒状吸水体４の上端の噴霧出口に達した水はここでレイリー分裂を起こしてナノメータサイズの粒子径の霧化を生じさせる静電霧化がなされる。またこの静電霧化装置１ではイオン化針１３にも高い負電圧が同時に印加され、対向電極３との間でのコロナ放電によってマイナスイオンの発生もなされる。この時、電極間の距離が同じであればマイナスイオン発生のために必要な電圧よりも静電霧化に必要な電圧の方が高いことから、ここでは棒状吸水体４の上端の噴霧出口から対向電極３までの距離Ｌ１（図２）よりも、イオン化針１３から対向電極３までの距離Ｌ２（図２）をかなり長くすることで静電霧化の方を生じやすくしている。もっとも、水溜め部５内の水が無くなるとともに棒状吸水体４で保持している水も霧化されてなくなれば、マイナスイオンの発生のみが継続して行われる。
【００２４】
次に、上記高電圧印加部２に対して棒状吸水体４を保持する第１の実施形態を図３、図４を参照して説明する。本例の高電圧印加部２には、対向電極３側に向かって棒状吸水体４の外径Ａよりも小さい孔６ａを有する筒状の保持部６が突出していると共に、水溜め部５側に向かって棒状吸水体４の外径Ａよりも大きい孔７ａを有し且つこの孔７ａが保持部６の孔６ａと連通している筒状の仮挿入部７が突出していると共に仮挿入部７の孔７ａの内面には棒状吸水体４の外周面に当接可能な複数の仮保持用突起部１０が突設されている。
【００２５】
筒状の保持部６は、棒状吸水体４をその外周側から抱きかかえた状態で保持する形状を有しており、棒状吸水体４を直立状態で固定するものである。一方、仮挿入部７の孔７ａの内面に突設される複数の仮保持用突起部１０は、その先端を結ぶ仮想円が棒状吸水体４の外径Ａと同じ大きさに設定されており、これにより棒状吸水体４を仮挿入部７に挿入したときに仮保持用突起部１０の先端が棒状吸水体４の外周面に当たることで、棒状吸水体４を直立状態で仮保持できるようになっている。なお、仮保持用突起部１０の先端を結ぶ仮想円を棒状吸水体４の外径Ａより大きくしてもよく、要するに仮保持用突起部１０は棒状吸水体４を仮挿入部７に挿入したときに棒状吸水体４を倒れないように略直立状態で仮保持できるものであればよい。
【００２６】
先ず、図４（ａ）のように高電圧印加部２を対向電極３側（保持部６側）が下になるようにセットし、棒状吸水体４の先端の尖っている側４ａを仮挿入部７の孔７ａに挿入して、棒状吸水体４を直立状態で仮保持する。この状態で棒状吸水体４の尖っている側４ａとは反対側の端面４ｂを押すことにより、棒状吸水体４の多孔質セラミックが高電圧印加部２の導電性樹脂を削りながら、棒状吸水体４の先端の尖っている側４ａを保持部６から一定の長さＨだけ押し出す。これにより、図４（ｂ）のように棒状吸水体４を高電圧印加部２に対して直立状態で保持することができる。最後に、対向電極３側が上になるように高電圧印加部２を反転する。これにより高電圧印加して多孔質セラミックの先端より水を静電噴霧させることができる構造となる。
【００２７】
しかして、上記棒状吸水体４を高電圧印加部２の保持部６に圧入する際には棒状吸水体４と保持部６との圧接部分において、棒状吸水体４を構成する多孔質セラミックが高電圧印加部２を構成する導電性樹脂を削りながら押し出されるので、棒状吸水体４の十分な保持力が得られる。しかも、棒状吸水体４は筒状の保持部６にて抱きかかえられた状態で保持されると共に、仮保持用突起部１０が棒状吸水体４の外周面に当接した状態となっているため、より十分な保持力が得られる。従って、棒状吸水体４と高電圧印加部２とを確実に接触させることができ、棒状吸水体４内部の水に高電圧が必ず印加されることとなり、しかも保持部６の内周面が棒状吸水体４の外周面全周に密着するので、仮りに静電霧化装置１が傾いたり倒れたりしても、水溜め部５の水が棒状吸水体４と保持部６との隙間から漏出することがなく、そのうえ棒状吸水体４の先端と対向電極３との間に漏れた水分が介在してそこに集中放電が発生することもなく、安全性を十分に確保できると共に、静電霧化装置１を何度も落下させたりして衝撃を加えたりした場合でも、保持部６からの棒状吸水体４の突出部分の長さが変化せず、棒状吸水体４の先端と対向電極３との放電距離精度を良好に保つことができる。また、棒状吸水体４を圧入する際に、仮挿入部７に設けた仮保持用突起部１０が棒状吸水体４を直立状態で仮保持するので、圧入の際に棒状吸水体４が傾いてしまうことがないため、棒状吸水体４の圧入操作がきわめて容易であり、そのうえ、棒状吸水体４を保持部６から一定の長さＨだけ押し出せば、棒状吸水体４の長さ寸法が一定であれば棒状吸水体４の突出部分の長さ寸法も一定となり、棒状吸水体４の先端と対向電極３との放電距離の精度を容易に高めることができ、静電霧化装置１の製造性を大幅に向上させることができる。
【００２８】
図５、図６、図７は本発明の第２の実施形態を示している。本例の高電圧印加部２には、対向電極３側に向かって棒状吸水体４の外径Ａと同径の孔６ａを有する筒状の保持部６が突出している。なお、保持部６の孔径Ｃは棒状吸水体４の外径Ａよりも大きくしてもよい。この保持部６の孔６ａの内面の複数箇所には棒状吸水体４の外周面に圧接される圧接用突起部１１が突設されていると共に保持部６の対向電極３側の先端内面には棒状吸水体４の外径Ａより小径の水漏れ防止用の環状突起１２が突設されている。また高電圧印加部２には水溜め部５側に向かって棒状吸水体４の外径Ａよりも大きい孔７ａを有し且つこの孔７ａが保持部６の孔６ａと連通している筒状の仮挿入部７が突出している。この仮挿入部７の孔７ａの内面には棒状吸水体４の外周面に当接可能な複数の仮保持用突起部１０が突設されている。
【００２９】
先ず、図６（ａ）のように高電圧印加部２を対向電極３側が下になるようにセットし、棒状吸水体４の先端の尖っている側４ａを仮挿入部７の孔７ａに挿入して仮保持用突起部１０にて棒状吸水体４を直立状態で仮保持し、この状態で棒状吸水体４の尖っている側４ａとは反対側の端面４ｂを押すことにより、棒状吸水体４と圧接用突起部１１との圧接部分において硬い方が柔らかい方を削りながら、棒状吸水体４の先端の尖っている側４ａを保持部６から一定の長さＨだけ押し出す。これにより、図６（ｂ）のように棒状吸水体４を高電圧印加部２に対して直立状態で保持することができる。最後に、対向電極３側が上になるように高電圧印加部２を反転させる。
【００３０】
しかして、保持部６の孔径Ｃが棒状吸水体４の外径Ａと同じか或いはそれよりも大きく設定されるので、棒状吸水体４を保持部６に圧入する際の抵抗を軽減できると同時に、保持部６の内面に設けた圧接用突起部１１によって棒状吸水体４の十分な保持力が得られるようになり、結果、前述した図３、図４と同様な作用効果が得られる。さらに本例では、図７（ａ）に示す環状突起１２が棒状吸水体４の圧入後には図７（ｂ）のように棒状吸水体４の外周面に隙間なく密閉するため、保持部６と棒状吸水体４との間に隙間ｄが生じた場合でも、棒状吸水体４と保持部６との間から水が漏出することがなく、安全性が十分に確保されるものである。
【００３１】
図８、図９は本発明の第３の実施形態を示している。本例の高電圧印加部２には、対向電極３側に向かって棒状吸水体４の外径Ａより小さい孔６ａを有する筒状の保持部６が突出している。先ず図９（ａ）のように高電圧印加部２を対向電極３側が下になるようにセットし、棒状吸水体４の外径Ａより大きな孔８ａを有する仮挿入用治具８を保持部６の孔６ａに合わせて載置し、棒状吸水体４の先端の尖っている側４ａを仮挿入用治具８の孔８ａに直立状態で仮保持し、この状態で棒状吸水体４を尖っている側４ａと反対側の端面４ｂを押すことにより、棒状吸水体４と高電圧印加部２との圧接部分において硬い方が柔らかい方を削りながら、棒状吸水体４の先端の尖っている側４ａを保持部６から一定の長さＨだけ押し出す。これにより図９（ｂ）のように棒状吸水体４を高電圧印加部２に対して直立状態で保持することができる。最後に、図９（ｃ）のように仮挿入用治具８を取り外して対向電極３側が上になるように高電圧印加部２を反転させる。
【００３２】
しかして、棒状吸水体４を高電圧印加部２の保持部６に圧入する際に棒状吸水体４と保持部６との圧接部分において、棒状吸水体４を構成する多孔質セラミックが高電圧印加部２を構成する導電性樹脂を削りながら押し出されるので、棒状吸水体４の十分な保持力が得られるようになり、結果、前述した図３、図４と同様な作用効果が得られる。さらに本例では、棒状吸水体４を保持部６に圧入する際に保持部６の上に、棒状吸水体４の外径Ａより大きな孔８ａを有する仮挿入用治具８を載置して、棒状吸水体４の先端の尖っている側４ａを仮挿入用治具８の孔８ａに直立状態で仮保持することで、圧入の際に棒状吸水体４が傾いてしまうことがないため、棒状吸水体４の圧入操作がきわめて容易となり、製造性を大幅に向上させることができると共に、高電圧印加部２に前記実施形態のような水溜め部５側に向かって仮挿入部７を突出させる必要がないため、高電圧印加部２の形状を簡素化できるという利点もある。
【００３３】
図１０、図１１は本発明の第４の実施形態を示している。本例の高電圧印加部２には、対向電極３側に向かって棒状吸水体４の外径Ａと同じか或いはそれよりも大きい孔６ａを有する筒状の保持部６が突出しており、この保持部６の孔６ａの内面には棒状吸水体４の外周面の一部に圧接される圧接用突起部１１が突設されていると共に保持部６の対向電極３側の先端内面には棒状吸水体４の外径Ａより小径の水漏れ防止用の環状突起１２が突設されている。
【００３４】
先ず、図１１（ａ）のように高電圧印加部２を対向電極３側が下になるようにセットし、その上に棒状吸水体４の外径Ａより大きな孔８ａを有する仮挿入用治具８を保持部６の孔６ａに合わせて載置し、棒状吸水体４の先端の尖っている側４ａを仮挿入用治具８の孔８ａに直立状態で仮保持し、この状態で棒状吸水体４を尖っている側４ａと反対側の端面４ｂを押すことにより、棒状吸水体４と圧接用突起部１１との圧接部分において硬い方が柔らかい方を削りながら、棒状吸水体４の先端の尖っている側４ａを保持部６から一定の長さＨだけ押し出す。これにより、図１１（ｂ）のように棒状吸水体４を高電圧印加部２に対して直立状態で保持することができる。その後図１１（ｃ）のように仮挿入用治具８を取り外して対向電極３側が上になるように高電圧印加部２を反転させる。
【００３５】
しかして、保持部６の孔径Ｃが棒状吸水体４の外径Ａと同じか或いはそれよりも大きく設定されるので、棒状吸水体４を保持部６に圧入する際の抵抗を軽減できると同時に、保持部６の内面に設けた圧接用突起部１１によって棒状吸水体４の十分な保持力が得られるようになり、また保持部６と棒状吸水体４との隙間が環状突起１２にて密閉されるため、保持部６と棒状吸水体４との間に隙間が生じた場合でも、棒状吸水体４と保持部６との間から水が漏出することがなく、結果、前述した図５〜図７と同様な作用効果が得られる。さらに本例では、仮挿入用治具８を用いて棒状吸水体４を直立状態で仮保持できるので圧入の際に棒状吸水体４が傾いてしまうことがなく、前述した図８、図９と同様な作用効果が得られる。また本例では仮挿入用治具８は、高電圧印加部２とは別体で構成された１つの筒状体を例示しているが、例えば仮挿入用治具８を複数の保持部６と同数の孔を備えたブロック体で構成し、このブロック体を高電圧印加部２上に載置してブロック体の各孔を複数の保持部６の各孔に合わせるようにセットできるような構成とすることも可能である。この場合、複数の棒状吸水体４を圧入する作業が一層容易となる。
【００３６】
図１２、図１３は本発明の第５の実施形態を示している。本例の高電圧印加部２と対向電極３は、それぞれ、ＳＵＳ等の金属板で形成されている。対向電極３は高電圧発生ユニットのＧＮＤ側に、高電圧印加部２は高電圧発生ユニットの高電圧側に接続され、数ｋＶ〜数十ｋＶが印加される。高電圧印加部２には、棒状吸水体４を挿入するための円形状の開口部が開けてあり、その開口部は棒状吸水体４の外径Ａより大きく設定され、この開口部に棒状吸水体４の外径Ａより小さい孔９ａが開いた円筒形の導電性ゴム９が装着されている。本例の導電性ゴム９は、高電圧印加部２の開口周縁の上端面に引っ掛かる上フランジ９ｂと該開口周縁の下端面に引っ掛る下フランジ９ｃとを備えている。そして、図１３（ａ）のように棒状吸水体４の先端の尖っている側４ａを導電性ゴム９の孔９ａに挿入して仮保持する。この状態で棒状吸水体４を尖っている側４ａと反対側の端面４ｂを押すことにより、図１３（ｂ）のように棒状吸水体４が導電性ゴム９の孔９ａに圧入されて棒状吸水体４の先端の尖っている側４ａを保持部６から一定の長さＨだけ押し出すことができる。
【００３７】
しかして、導電性ゴム９の孔９ａに棒状吸水体４を圧入する際に棒状吸水体４が多少傾いていても導電性ゴム９の締め付け力によって垂直に挿入されるようになり、棒状吸水体４内部の水と高電圧印加部２とが導電性ゴム９を介して確実に接触して、高電圧印加部２の高電圧が必ず棒状吸水体４内の水に印加されることになる。また高電圧印加部２はＳＵＳ板のような剛体で構成されているため、弾性のある導電性ゴム９を用いた場合でも、棒状吸水体４を高電圧印加部２にて確実に保持できるものである。また、仮りに静電霧化装置１が傾いたり倒れたりしても、導電性ゴム９の締め付け力によって保持部６と棒状吸水体４の隙間が確実に密閉されるため、そこから水が漏出することはないし、そのうえ棒状吸水体４と対向電極３部の間に水分が介在してそこに集中放電が発生することもない。さらに、棒状吸水体４を一定の長さＨだけ押し出せば、棒状吸水体４の突出部分の長さＨの精度は、結局棒状吸水体４の長さ寸法と等しくなり、棒状吸水体４の先端と対向電極３との放電距離精度も良くできるものである。さらに、高電圧印加部２には前記実施形態のような仮挿入部７や保持部６を突出させる必要がないため、高電圧印加部２の成形が一層容易となり、低コスト化を図ることができる。また本例では棒状吸水体４を圧入する際に前記各実施形態のように高電圧印加部２を上下反転させる必要もなく、作業がはかどるという利点もある。
【００３８】
本発明の静電霧化装置１は空気清浄機等の分野に広く実施され得る。
【００３９】
【発明の効果】
上述のように本発明の静電霧化装置の製造方法は、棒状吸水体内部の水と高電圧印加部とを確実に接触させつつ棒状吸水体の十分な保持力が得られるので、静電霧化装置に外部から衝撃が加わったときでも、棒状吸水体の突出長さが変化するのを防止でき、棒状吸水体の先端と対向電極との放電距離の精度を良好にでき、そのうえ、静電霧化装置が傾いたり倒れたりしても、棒状吸水体と高電圧印加部との隙間から水溜め部の水が漏出したり、或いは棒状吸水体の先端と対向電極との間に漏れた水分が介在してそこに集中放電が発生するおそれもなく、安全性を確保できるものである。
【図面の簡単な説明】
【図１】本発明の第１実施形態の静電霧化装置の側面断面図である。
【図２】同上の平面図である。
【図３】（ａ）は同上の高電圧印加部の仮挿入部の平面図、（ｂ）は高電圧印加部の側面断面図、（ｃ）は保持部の下面図である。
【図４】（ａ）は図３（ａ）の仮挿入部に棒状吸水体を仮保持した状態を説明する側面断面図、（ｂ）は図３（ｃ）の保持部に棒状吸水体を圧入した状態を説明する側面断面図である。
【図５】本発明の第２実施形態を示し、（ａ）は仮挿入部の平面図、（ｂ）は高電圧印加部の側面断面図、（ｃ）は保持部の下面図である。
【図６】（ａ）は図５（ａ）の仮挿入部に棒状吸水体を仮保持した状態を説明する側面断面図、（ｂ）は図５（ｃ）の保持部に棒状吸水体を圧入した状態を説明する側面断面図である。
【図７】（ａ）は図６（ａ）のイ部の拡大断面図、（ｂ）は図６（ｂ）のイ部の拡大断面図である。
【図８】本発明の第３実施形態を示し、（ａ）は高電圧印加部の側面断面図、（ｂ）は保持部の下面図である。
【図９】（ａ）は仮挿入用治具を用いて棒状吸水体を仮保持した状態を説明する側面断面図、（ｂ）は図８（ｂ）の保持部に棒状吸水体を圧入した状態を説明する側面断面図、（ｃ）は仮挿入用治具を除去した後の側面断面図である。
【図１０】本発明の第４実施形態を示し、（ａ）は高電圧印加部の側面断面図、（ｂ）は保持部の下面図である。
【図１１】（ａ）は仮挿入用治具を用いて棒状吸水体を仮保持した状態を説明する側面断面図、（ｂ）は図１０（ｂ）の保持部に棒状吸水体を圧入した状態を説明する側面断面図、（ｃ）は仮挿入用治具を除去した後の側面断面図である。
【図１２】本発明の第５実施形態を示し、（ａ）は高電圧印加部に導電性ゴムを装着した状態の側面断面図、（ｂ）は導電性ゴムの下面図である。
【図１３】（ａ）は導電性ゴムに棒状吸水体を仮保持した状態を説明する側面断面図、（ｂ）は導電性ゴムに棒状吸水体を圧入した状態を説明する側面断面図である。
【符号の説明】
１  静電霧化装置
２  高電圧印加部
３  対向電極
４  棒状吸水体
４ａ  棒状吸水体の尖っている側
４ｂ  棒状吸水体の端面
５  水溜め部
６  保持部
６ａ  保持部の孔
７  仮挿入部
７ａ  仮挿入部の孔
８  仮挿入用治具
８ａ  仮挿入用治具の孔
９  導電性ゴム
９ａ  導電性ゴムの孔
１０  仮保持用突起部
１２  環状突起
Ａ  棒状吸水体の外径
Ｈ  棒状吸水体の突出長さ
【図１】
2005021776.tif 000003
【図２】
2005021776.tif 000004
【図３】
2005021776.tif 000005
【図４】
2005021776.tif 000006
【図５】
2005021776.tif 000007
【図６】
2005021776.tif 000008
【図７】
2005021776.tif 000009
【図８】
2005021776.tif 000010
【図９】
2005021776.tif 000011
【図１０】
2005021776.tif 000012
【図１１】
2005021776.tif 000013
【図１２】
2005021776.tif 000014
【図１３】
2005021776.tif 000015